(57)【要約】【課題】携帯端末において、スピーカーなどの機能部の機能の低下を防止しつつ、防水性を有する携帯端末を提供する。【解決手段】携帯電話機１は、スピーカー、このスピーカーを覆う閉状態と、露出させる開状態とをとりうる防水部、自端末の水濡れを検知する検知部を備えている。晴天時など検知部が水濡れを検知していない場合には、携帯電話機１は、スピーカーが露出された開状態としてスピーカーから音声出力させる。これに対して、雨天時など検知部が水濡れを検知している場合には、携帯電話機１は、スピーカーが防水部により覆われた閉状態として、スピーカーが水に直に晒されないようにする。【選択図】図６
2010068449.tif 000002
【特許請求の範囲】
【請求項１】
所定の機能を発揮する機能部と、
前記機能部を覆う閉状態と、前記機能部を露出する開状態とをとりうる、外部からの水の侵入を防止しうる防水部と、
水濡れを検知する検知部と、
前記検知部により水濡れが検知されている間は、前記防水部を前記閉状態とするよう制御する制御部と、を備える携帯端末。
【請求項２】
前記機能部が、
スピーカーである請求項１記載の携帯端末。
【請求項３】
前記検知部により前記水濡れが検知されている間は、前記スピーカーからの音声出力を制限する制限部を備える請求項２又は３記載の携帯端末。
【請求項４】
前記制御部は、前記検知部により水濡れが検知されていない間は前記スピーカーからの音声出力開始に伴い前記防水部を前記開状態とし、前記スピーカーからの音声出力終了に伴い前記防水部を前記閉状態とするよう制御する請求項２に記載の携帯端末。
【請求項５】
前記機能部が、
レンズを有するカメラ部である請求項１記載の携帯端末。
【請求項６】
前記制御部は、前記検知部により水濡れが検知されていない間は前記カメラ部の機能の起動に伴い前記防水部を前記開状態として、前記カメラ部の機能の終了に伴い前記防水部を前記閉状態とするよう制御する請求項５に記載の携帯端末。
【発明の詳細な説明】
【技術分野】
【０００１】
本発明は、携帯電話機などの携帯端末に関する。
【背景技術】
【０００２】
従来の携帯電話機などの携帯端末は、一般に水に弱く、水濡れや水没が故障原因の大きな割合を占めていたが、近年では、防水機能付きの機種が開発されている（例えば、特許文献１）。また、特許文献２〜３には、水濡れを検知する携帯端末が開示されている。そして、特許文献４には、水濡れの検出時に内部回路への電源供給を遮断する携帯端末が開示されている。
【特許文献１】特開2003-143272号公報
【特許文献２】特開2007-184796号公報
【特許文献３】特開2002-111838号公報
【特許文献４】特開2007-251830号公報
【発明の開示】
【発明が解決しようとする課題】
【０００３】
防水機能を実現するためには、携帯電話機などの携帯端末のスピーカー部分等の所定の機能を発揮する機能部においても、防水加工を施す必要がある。
例えば、スピーカーの振動板の撥水加工などの防水加工を施したスピーカー（以下、「防水スピーカー」と呼ぶ。）は、防水性には優れているが、防水加工ゆえに通常のスピーカーと比べると音抜けが良くない傾向がある。このため、音質を追求するのであればなるべく防水スピーカーの採用は避けたい。
【０００４】
もっとも、通常のスピーカーは、相対的に音質は良くても防水性は劣る。このため、通常のスピーカーを採用すると、スピーカー内への水の侵入などの可能性が高まる。
さらに、例えば、機能部としてのレンズを有するカメラ部の場合においても同様の課題を有する。すなわち、レンズを有するカメラ部は通常、防水性はそれほど高くない。そのため、カメラ部に、レンズが露出した状態でも防水性を要するような防水性能を備えさせようとすると、シール機構などを具備した高価な部品などが必要となりコストアップになると共に、厚さ増大などにより小型化が困難となる。
【０００５】
本発明はこのような背景の下になされたものであって、機能部の機能の低下を防止しつつ、防水性を有する携帯端末を提供することにある。
【課題を解決するための手段】
【０００６】
本発明に係る携帯端末は、所定の機能を発揮する機能部と、前記機能部を覆う閉状態と、前記機能部を露出する開状態とをとりうる、外部からの水の侵入を防止しうる防水部と、水濡れを検知する検知部と、前記検知部により水濡れが検知されている間は、前記防水部を前記閉状態とするよう制御する制御部と、を備える。
また、前記機能部が、スピーカーであるとしても構わない。
【０００７】
また、前記検知部により前記水濡れが検知されている間は、前記スピーカーからの音声出力を制限する制限部を備えるとしても構わない。
また、前記制御部は、前記検知部により水濡れが検知されていない間は前記スピーカーからの音声出力開始に伴い前記防水部を前記開状態とし、前記スピーカーからの音声出力終了に伴い前記防水部を前記閉状態とするよう制御するとしても構わない。
【０００８】
また、前記機能部が、レンズを有するカメラ部であるとしても構わない。
また、前記制御部は、前記検知部により水濡れが検知されていない間は前記カメラ部の機能の起動に伴い前記防水部を前記開状態として、前記カメラ部の機能の終了に伴い前記防水部を前記閉状態とするよう制御するとしても構わない。
【発明の効果】
【０００９】
以上のように、本発明によれば、機能部の機能の低下を防止しつつ、防水性を有する携帯端末を提供することができる。
【発明を実施するための最良の形態】
【００１０】
（実施の形態１）
以下、実施の形態について、携帯端末として携帯電話機を例に挙げて説明する。
図１は、携帯電話機１の正面図である。
携帯電話機１は、筐体２、筐体２の表面に配置されたディスプレイ４、筐体２の四隅に配された水濡れセンサ６ａ〜６ｄ、筐体２上端部に埋設されたスピーカー８、スピーカー８を覆うカバー１０を備える。
【００１１】
筐体２は、各種電子部品などを収納する。また筐体２は、周知のスライド式構造を有しており、スライドによりダイヤルキーなどを含む操作キー部（不図示）が引き出される。
ディスプレイ４は、例えば液晶方式であり、ユーザーに対して各種表示を行う。
水濡れセンサ６ａ〜６ｄは、それぞれ端子から構成されており、抵抗値を出力する。この端子は水に接触すると抵抗値が変動するので、抵抗値をモニターすることで水濡れを検知できる。なお、水濡れセンサ６ａ〜６ｄとしては、例えば特開2007-184796に開示されている水濡れセンサを用いることができる。
【００１２】
スピーカー８は、右チャンネルのスピーカー右８Ｒと左チャンネルのスピーカー左８Ｌとから構成されるステレオスピーカーである。スピーカー８は、防水加工は施されていないので水に弱いが、一般的な防水スピーカーよりは音質が良い。
カバー１０は、防水性を有する周知の材質であり、例えば、撥水性に優れたフッ素樹脂を用いることができる。
【００１３】
またカバー１０は、それぞれスピーカー右８Ｒ・スピーカー左８Ｌを覆うカバー左１０Ｌとカバー右１０Ｒとから構成される。以下、スピーカー８、カバー１０の左右を特に区別しないときは、単にカバー８、スピーカー１０として説明する。
カバー１０は、アクチュエーターにより図１における上下方向にスライドする機構を有している。
【００１４】
このスライド機構を実現するアクチュエーターの構造について図２を用いて説明する。
図２は、アクチュエーターの構造を説明する模式図であり、図２（ｂ）は図２（ａ）のＡ−Ａ線の断面図である。
図２に示すように、アクチュエータは、カバー左１０Ｌとカバー右１０Ｒとを連結する連結部材１４，連結部材に連結されたラック１７，ラック１７の底面に形成されたギアに咬合されたピニオン１８，ピニオン１８を回転駆動するモーター１９を備える。
【００１５】
モーター１９の回転はピニオン１８とラック１７の咬合によって直接運動に変換される。これによって、連結部材１４は筐体２表面に形成したガイド穴１６に沿って往復運動（往復する方向は図２（ａ）では上下方向、図２（ｂ）では紙面手前奥方向となる。）されることとなる。
なお、スピーカー８Ｌ，８Ｒとカバー１０Ｌ，１０Ｌとの隙間からの水侵入を阻止するために、スピーカー８L，８Ｒの周りの筐体２表面にはパッキン１２Ｌ，１２Ｒが貼着されている。ガイド穴１６内にも防水のためにパッキンを貼るのが良い。ただし、連結部材１４の移動を阻害しないように穴の両側から弾性シートを張り出す公知の構成とする。
【００１６】
図１に戻って、図１（ａ）に示すように、カバー１０がスピーカー８を覆う状態（カバーが閉じた状態、閉状態）では、カバー１０によりスピーカー８内への水の侵入を防止できるが、スピーカー８から出力される音声はカバー１０に阻まれて不鮮明な音となる。
これに対して、図１（ｂ）に示すように、カバー１０がスピーカー８を覆わない状態（カバーが開いた状態、開状態）では、スピーカー８はカバー１０の覆いから開放され、高い品質の音質で音声出力できる。
【００１７】
なお、スピーカーから音声を出力するときを除いて、スピーカー８は、普段からカバー１０に覆われている。
図３は、携帯電話機１の機能ブロック図である。
携帯電話機１は、表示制御部２０，音声制御部２２，楽曲再生部２４，報知制御部２６，カメラ部２８，検知部３０，操作部３２，通信部３４を備える。
【００１８】
表示制御部２０は、ディスプレイ４の表示を制御する。
音声制御部２２は、スピーカー８の音声出力を制御する。
楽曲再生部２４は、各種フォーマット（ＭＰ３など）の楽曲を再生する。
駆動制御部２６は、アクチュエーターを制御してカバー１０を開閉駆動させる。具体的には、駆動制御部２６は、音声出力の開始要求及び終了要求を監視し、この開始要求に伴いカバー１０を開け、終了要求に伴いカバー１０を閉める。もっとも、開始要求時に検知部３０が水濡れを検知していれば、カバー１０を開けず閉じたままとする。
【００１９】
カメラ部２８は、レンズを含んで構成され、一般的な携帯電話機が備えるカメラ機能を実現する。
検知部３０は、水濡れセンサ６ａ〜６ｄを含んで構成され、水濡れを指標する抵抗値を出力する。
操作部３２は、ユーザーからキー入力を受け付ける入力インターフェイスであり、前述の操作キー部を含んで構成されている。
【００２０】
通信部３４は、通話や携帯メールなど一般的な携帯電話機が備える通信機能を実現する。
図４は、携帯電話機１が行う音声出力・カバー開閉処理を示すフローチャートである。図５に、カバー１０の開閉状態の遷移を示す。
音声出力・カバー開閉処理では、楽曲再生部２４などの音声出力を要する機能からの音声出力の開始要求を示す指示を音声制御部２２が受けると（Ｓ１：Ｙｅｓ）、音声制御部２２は音声を出力する（Ｓ２）。
【００２１】
音声出力の開始要求を監視している駆動制御部２６は、検知部３０において水濡れを検知していないと判断すると（Ｓ３：Ｎｏ）、カバー１０を開ける（Ｓ４）。なお、ステップＳ３の水濡れ検知の判断基準としては、例えば、水濡れセンサ６ａ〜６ｄの端子から出力される抵抗値のいずれかが閾値を下回った場合に水濡れと判断する。
駆動制御部２６は、音声出力の終了要求を受信すると（Ｓ５：Ｙｅｓ）、ステップＳ４で開けたカバー１０を閉じる（Ｓ６）。
【００２２】
ステップＳ３に戻って、駆動制御部２６が、検知部３０において水濡れを検知したと判断すると（Ｓ３：Ｙｅｓ）、カバー１０は開けずに、表示制御部２０に表示に係る指示を送ってディスプレイ４の画面上に水濡れを検知した旨のメッセージを表示させる（Ｓ７）。
図６は、図４で説明した音声出力・カバー開閉処理の具体的な適用例を示す図である。
【００２３】
図６（ａ）に示すように、晴天下の場合は、検知部３０で水濡れを検知していないときであり、携帯電話機１の楽曲再生機能を使用する際には、カバー１０は開け放たれ、ステレオスピーカー８の高い音質を発揮して楽曲を再生することができる。
これに対して、図６（ｂ）に示すように、雨天等の場合のように、検知部３０で水濡れを検知した場合は、携帯電話機１は楽曲再生機能を使用する際にもカバー１０は開けず閉じたままとなっている。カバー１０は閉じたままであるのでスピーカー８内への水の侵入を防止できる。もっとも、スピーカー８から出力される音声は、カバー１０に阻まれる。
【００２４】
このようにカバー１０を閉じたまま音声を出力する場合には、図６(b)に示すように、携帯電話機１のディスプレイ４上の画面３６には、「水濡れを検知したため、スピーカーは制限されます。」というメッセージ３８が表示して、ユーザーに対してカバー１０が閉じられていることを知らせている。
以上説明したように、本実施の形態によれば、携帯電話機１は、水濡れを検知している間は、カバー１０を開けず閉じたままとするので、スピーカー８が直接水に晒されることを防止することができる。しかも、防水スピーカーではなく、より音質の高い通常のスピーカー８を携帯電話機１に用いたとしても、このカバー１０により防水性を持たせることができる。
（実施の形態２）
実施の形態１では、スピーカー８のカバー１０の開閉制御について説明したが、本実施の形態２では、カメラレンズのカバーを開閉制御する。
【００２５】
カメラレンズにおいても、防水性を求めると部品が高コスト化したり、厚さが増すという傾向にあり、前述のスピーカーに共通した問題がある。そこで、実施の形態２では、防水性を備えない通常のカメラレンズを用いてコスト高や厚さ増加を抑えつつ、カメラレンズやカメラ機能に係るモジュール部品への水侵入の防止を図る。
図７は、実施の形態２に係る携帯電話機４０の外観を示す斜視図である。
【００２６】
携帯電話機４０は、カメラレンズ４２と、カメラレンズ４２を閉じた状態で覆うレンズカバー４４を有する。ここで、実施の形態２のレンズカバー４４の開閉は、図２で示されるアクチュエータと同様の機構により制御される。簡単に説明すると、レンズカバー４４は、連結部材（不図示）に連結され、この連結部材はラック・ピニオン及びモーターに連動している。モーターの回転により、モーター→ピニオン→ラック→連結部材→レンズカバー４４へと動力が伝達されてレンズカバー４４は、図７中、両矢印で示した範囲で移動する。
【００２７】
携帯電話機４０の機能ブロックは、図３で説明したものと基本的には同様であるので説明を省略する。なお、実施の形態２における駆動制御部２６は、レンズカバー４４の開閉を駆動制御する。
図８は、携帯電話機４０が行うカメラ機能起動・カバー開閉処理を示すフローチャートである。
【００２８】
駆動制御部２６は、操作部３２からのカメラ機能の起動要求を受信すると（Ｓ１１：Ｙｅｓ）、検知部３０において水濡れを検知していないならば（Ｓ１２：Ｎｏ）、レンズカバー４４を開けて（Ｓ１３、開状態）、カメラ部２８にカメラ機能を起動させる（Ｓ１４）。
なお、上記カメラ機能の起動要求とは、例えば操作部３２のキーの１つに長押しによるカメラ機能の起動が割り当てられており、操作部３２がこのキーの長押しをユーザーから受け付けたときに操作部３２が発行する要求である。
【００２９】
駆動制御部２６は、操作部３２からのユーザー入力によるカメラ機能の終了要求を受信すると（Ｓ１５：Ｙｅｓ）、レンズカバー４４を閉じる（Ｓ１６）。
ステップＳ１２において、検知部３０が水濡れを検知しているならば（Ｓ１２：Ｙｅｓ）、駆動制御部２６は、カメラ部２８のカメラ機能の起動を中止して、レンズカバー４４を閉状態のまま、表示制御部２０に表示の指示を送ってディスプレイ４の画面上にメッセージを表示させる（Ｓ１７）。図８のステップＳ１７の右部にこのメッセージの例を示しており、画面４６内には、「水濡れを検知したため、カメラは起動できません。」というメッセージ４８が表示されている。
【００３０】
以上説明したように、本実施の形態によれば、携帯電話機４０は、水濡れを検知している間は、カメラ機能の起動要求にも関わらずカメラ機能を起動させずレンズカバー４４を閉じたままとするので、カメラレンズ４２を侵入口とした水の侵入を防止できる。しかも、レンズカバー４４によりある程度の防水を実現できるので、防水性を有する高価な部品や厚さのある部品の実装を回避して、通常の部品を用いることができる。
＜補足＞
以上、本発明の実施の形態について説明したが、本発明は上記の内容に限定されず、本発明の目的とそれに関連又は付随する目的を達成するための各種形態においても実施可能であり、例えば、以下であってもよい。
（１）実施の形態１では、水濡れ検知時にも音声出力を行うとして説明したが（図６（ｂ））、水濡れ検知時には、駆動制御部２６から音声制御部２２に指示を送ってスピーカー８からの音声出力を完全に禁止したり、あるいはスピーカー８の音量を下げて音質の良くない音声が出力されないようにしても構わない。
（２）実施の形態１では、カバー１０をスライドさせることでスピーカー８を開閉する例について説明したが、スピーカーを開閉自在なカバーで覆う機械的な構成については、周知であり、例えば、特開平10-210581に開示された技術のように、軸回転するカバーにより開閉しても構わない。
（３）実施の形態１，２では説明しなかったが、カバーを開けた後であっても（図４：Ｓ４,図８：Ｓ１３）、水濡れを検知した場合には、カバーを閉じる制御を行い（図４：Ｓ６，図８：Ｓ１６）防水性を高めるようにしても構わない。
（４）実施の形態１，２では、カバーはアクチュエーターにより自動で開閉制御するとしているが、手動で開閉するカバーであっても各実施の形態を適用することができる。
【００３１】
具体的には、カバーのスライドは、カバーの開放を防止するロック機構を備えているものとする。そして、図９に示すように、水濡れを検知すると（Ｓ２１：Ｙｅｓ）、カバーをロックしてカバーが開くのを防止する（Ｓ２２）、という制御を行うことで実現することができる。この構成であったとしても、スピーカーまたはカメラレンズに水濡れの危険がある場合にカバーが開くのを防止できるので、防水性を高めることができる。
（５）実施の形態１，２では、それぞれ機能部として、スピーカー、カメラ部を採用したが、本発明は機能部としてこのようなものに限定されるものではなく、その他適宜な機能部を採用することができる。
【産業上の利用可能性】
【００３２】
本発明に係る携帯端末は、防水と機能の発揮とを両立した携帯電話機などの携帯端末を提供でき有用である。
【図面の簡単な説明】
【００３３】
【図１】携帯電話機１の正面図
【図２】アクチュエーターの構造を説明する模式図
【図３】携帯電話機１の機能ブロック図
【図４】携帯電話機１が行う音声出力・カバー開閉処理を示すフローチャート
【図５】カバー１０の開閉状態の遷移図
【図６】図４で説明した音声出力・カバー開閉処理の具体的な適用例を示す図
【図７】携帯電話機４０の外観を示す斜視図
【図８】携帯電話機４０が行うカメラ機能起動・カバー開閉処理を示すフローチャート
【図９】手動で開閉するカバーに関する処理を示すフローチャート
【符号の説明】
【００３４】
１  携帯電話機
２  筐体
４  ディスプレイ
６ａ〜６ｄ  水濡れセンサ
８  スピーカー（機能部）
１０  カバー（防水カバー）
２４  楽曲再生部
２６  駆動制御部（制御部）
２８  カメラ部（機能部）
３０  検知部
３２  操作部
４２  カメラレンズ
４４  レンズカバー
【図１】
2010068449.tif 000003
【図２】
2010068449.tif 000004
【図３】
2010068449.tif 000005
【図４】
2010068449.tif 000006
【図５】
2010068449.tif 000007
【図６】
2010068449.tif 000008
【図７】
2010068449.tif 000009
【図８】
2010068449.tif 000010
【図９】
2010068449.tif 000011